(57)【要約】  掃除機具のための掃除機ヘッド２は、空気入口１４及び空気出口１６を有する主本体４と、主本体４に対して回転軸回りで回転するように支持された撹拌器６と、髪の毛を収集するための収集器５６と、を備える。収集器５６は、主本体４によって支持されており、空気入口１４を通して引き込まれた髪の毛が収集器５６の少なくとも一部の周囲に巻き付くように構成されている。収集器５６は、撹拌器６が収集器５６に対して回転可能である髪収集位置と髪除去位置との間で主本体４に対して移動可能である。
2017507757.tif 000002
【特許請求の範囲】
【請求項１】
掃除機具のための掃除機ヘッドであって、
空気入口及び空気出口を有する主本体と、
前記主本体に対して回転軸回りで回転するように支持された撹拌器と、
髪の毛を収集するための収集器であって、前記主本体によって支持されており、前記空気入口を通して引き込まれた髪の毛が当該収集器の少なくとも一部の周囲に巻き付くように構成されており、前記撹拌器が当該収集器に対して回転可能である収集位置と除去位置との間で前記主本体に対して移動可能である、収集器と、
を備えることを特徴とする掃除機ヘッド。
【請求項２】
前記収集器が、前記撹拌器の回転軸にほぼ平行である方向で、前記収集位置及び前記除去位置間で移動可能であることを特徴とする請求項１に記載の掃除機ヘッド。
【請求項３】
前記収集器には、前記主本体に設けられた第２係合機能と係合するように構成された第１係合機能が設けられており、それにより、前記収集器が前記収集位置にあるときに前記主本体に対する前記収集器の回転を防止することを特徴とする請求項１または２に記載の掃除機ヘッド。
【請求項４】
前記第１係合機能が、回転軸の方向にほぼ延在するスロットであることを特徴とする請求項３に記載の掃除機ヘッド。
【請求項５】
前記第２係合機能が、前記スロットと同じ方向にほぼ延在するリブであることを特徴とする請求項４に記載の掃除機ヘッド。
【請求項６】
前記スロットの少なくとも一部が、前記除去位置において露出されており、それにより、切断器具を前記スロット内に挿入して前記収集器によって収集された髪の毛を切断することが可能であることを特徴とする請求項４または５に記載の掃除機ヘッド。
【請求項７】
前記撹拌器が、制動面を有しており、前記制動面が、前記収集器に蓄積された髪が当該制動面と係合してそれにより前記撹拌器の回転に抗するように構成されていることを特徴とする請求項１から６のいずれか１項に記載の掃除機ヘッド。
【請求項８】
前記収集器が、前記撹拌器によって少なくとも部分的に収容されており、前記制動面が、前記撹拌器の内面であることを特徴とする請求項７に記載の掃除機ヘッド。
【請求項９】
前記撹拌器が、ブラシバーであることを特徴とする請求項１から８のいずれか１項に記載の掃除機ヘッド。
【請求項１０】
前記主本体が、回転するために前記ブラシバーを支持する心棒を備え、
前記心棒が、前記収集器及び／または前記ブラシバーを駆動するためのモータをさらに支持することを特徴とする請求項９に記載の掃除機ヘッド。
【請求項１１】
回転させるために前記ブラシバーを支持する軸受をさらに備え、
前記軸受が、前記ブラシバーによって少なくとも部分的に収容されており、
前記収集器が、髪が前記軸受内に入ることを防止するように構成されていることを特徴とする請求項９または１０に記載の掃除機ヘッド。
【請求項１２】
前記掃除機ヘッドが、前記収集器を前記収集位置に向けて付勢するように構成された付勢デバイスをさらに備えることを特徴とする請求項１から１１のいずれか１項に記載の掃除機ヘッド。
【請求項１３】
前記付勢デバイスが、前記収集器を前記主本体に対して付勢することを特徴とする請求項１２に記載の掃除機ヘッド。
【請求項１４】
前記収集器が、髪の毛を収集するスプールを備えることを特徴とする請求項１から１３のいずれか１項に記載の掃除機ヘッド。
【請求項１５】
前記スプールが、前記撹拌器の回転軸と同軸に配設されていることを特徴とする請求項１４に記載の掃除機ヘッド。
【請求項１６】
前記スプールには、当該スプールに髪を保持するように構成された保持突起が設けられていることを特徴とする請求項１４または１５に記載の掃除機ヘッド。
【請求項１７】
前記スプールが、前記主本体に対して、前記保持突起と前記主本体との間に収集領域を画成するように、構成されていることを特徴とする請求項１６に記載の掃除機ヘッド。
【請求項１８】
前記収集器が、当該収集器が前記収集位置において前記主本体に当接しかつ前記除去位置において前記主本体から離間するように構成されていることを特徴とする請求項１から１７のいずれか１項に記載の掃除機ヘッド。
【請求項１９】
請求項１から１８のいずれか１項に記載の掃除機ヘッドを備えることを特徴とする掃除機具。
【発明の詳細な説明】
【技術分野】
【０００１】
本発明は、掃除機具のための掃除機ヘッドに関し、排他的ではないが特に、家庭用の真空掃除機のような真空掃除機のための掃除機ヘッドに、関する。
【背景技術】
【０００２】
真空掃除機具のための掃除機ヘッドは、しばしば、カーペットから屑を収集することを改善するために回転可能なブラシバーを備える。
【発明の概要】
【発明が解決しようとする課題】
【０００３】
掃除中に収集される屑のタイプには、塵、埃、食品粒子及び髪が含まれる。長い髪の毛は、これらが掃除機具内に引き込まれる替わりにしばしばブラシバーの周囲に巻き付くので、問題になり得る。また、髪の細長い性質は、髪の毛がブラシバーと掃除機ヘッド筐体と端部間に入っていき、髪の毛をブラシバーのための駆動軸の周りに巻き付ける、さもないと、ブラシバーによって収容されている例えば軸受またはブラシバーモータなどの構成部品に絡み付く、ことを意味する。主として、ブラシバーは、掃除機ヘッドから取り外され得、それにより、ブラシバーにまたはブラシバー内部に捕捉されている髪を除去し得る。しかしながら、髪を除去することは、困難になり得る。
【課題を解決するための手段】
【０００４】
本発明の第１態様によれば、掃除器具のための掃除機ヘッドが提供されており、この掃除機ヘッドは、空気入口及び空気出口を有する主本体と、主本体に対して回転軸回りで回転するように支持された撹拌器と、髪の毛を収集するための収集器であって、主本体によって支持されており、空気入口を通して引き込まれた髪の毛が収集器の少なくとも一部の周囲に巻き付くように構成されており、撹拌器が収集器に対して回転可能である収集位置と除去位置との間で主本体に対して移動可能である、収集器と、を備える。
【０００５】
掃除機ヘッドは、収集器を有し、この収集器は、髪が収集器によって収集されて収集器に蓄積する収集位置と、収集器によって収集された髪を迅速に除去し得る除去位置と、の間で移動可能であり、掃除機ヘッドは、過度の困難なく収集器に蓄積された髪を定期的に除去し得る使用者によって容易に維持される。
【０００６】
収集器は、撹拌器の回転軸にほぼ平行である方向で、収集位置及び除去位置間で移動可能であり得る。
【０００７】
収集器は、収集位置において主本体に対して回転方向に固定され得る。例えば、収集器には、主本体に設けられた第２係合機能と係合するように構成された第１係合機能が設けられ得、それにより、収集器が収集位置にあるときに主本体に対する収集器の回転を防止する。
【０００８】
第１係合機能は、回転軸の方向にほぼ延在するスロットであり得る。第２係合機能は、スロットと同じ方向にほぼ延在するリブであり得る。
【０００９】
スロットの少なくとも一部は、除去位置において露出され得、それにより、切断器具をスロット内に挿入して収集器によって収集された髪の毛を切断することが可能である。
【００１０】
撹拌器は、制動面を有し得、制動面は、収集器に蓄積された髪が制動面と係合してそれにより撹拌器の回転に抗するように構成されている。収集器は、撹拌器によって少なくとも部分的に収容され得る。制動面は、撹拌器の内面であり得る。
【００１１】
撹拌器は、ブラシバーであり得る。ブラシバーは、細長くなり得、ブラシバーの長手方向に延在する回転軸を有し得る。例えば、ブラシバーは、管状部分を備え得、この管状部分には、ブラシバーから径方向外側に延在する毛が設けられ得る。
【００１２】
主本体は、回転するためにブラシバーを支持する心棒を備え得る。心棒は、収集器及び／またはブラシバーを駆動するためのモータをさらに支持し得る。
【００１３】
掃除機ヘッドは、回転させるためにブラシバーを支持する軸受をさらに備え得る。軸受は、ブラシバーによって少なくとも部分的に収容され得る。収集器は、髪が軸受内に入ることを防止するように構成され得る。例えば、収集器は、軸受とブラシバーの端部との間に配設され得る。
【００１４】
掃除機ヘッドは、バネのように、収集器を収集位置に向けて付勢するように構成された付勢デバイスを備え得る。付勢デバイスは、収集器を主本体に対して付勢し得る。
【００１５】
収集器は、髪の毛を収集するスプールを備え得る。スプールは、撹拌器の回転軸と同軸に配設され得る。
【００１６】
スプールには、スプールに髪を保持するように構成された保持突起が設けられ得る。保持突起は、淵部または尾根部であり得る。突起は、複数の突起、例えばスプール回りに周方向に間隔をあけた複数の突起、のうちの１つであり得る。
【００１７】
スプールは、主本体に対して、保持突起と主本体との間にスプールの収集領域を配設するように、構成され得る。
【００１８】
収集器は、収集器が収集位置において主本体に当接しかつ除去位置において主本体から離間するように構成され得る。
【００１９】
本発明の第２態様によれば、本発明の第１態様にかかる掃除機ヘッドを備える掃除器具が提供される。
【００２０】
本発明をより理解するために、かつ、どのように本発明を実行するかを示すために、以下の図面を参照しながら例として本発明を説明する。
【図面の簡単な説明】
【００２１】
【図１】掃除機具のための掃除機ヘッドを示す斜視図である。
【図２】図１に示す掃除機ヘッドを示す断面図である。
【図３】第１構成にある図１に示す掃除機ヘッドの一部を示す斜視図である。
【図４】第２構成にある図１に示す掃除機ヘッドの一部を示す斜視図である。
【発明を実施するための形態】
【００２２】
図１から図４は、掃除機ヘッド２を示しており、この掃除機ヘッドは、主本体４と、主本体４によって回転するために支持されているブラシバー６の形態にある撹拌器と、を備える。ブラシバー６は、回転軸Ｘを有する。主本体４は、内部にブラシバー６が配設されている（図３に示す）チャンバ１０を有する筐体８と、筐体８に回動式に接続されている連節首体１２と、を備える。
【００２３】
筐体８は、筐体８の下側及び前にわたって延在する入口開口部１４を有する。ブラシバー６は、開口部１４を通して露出されている。入口開口部１４は、掃除機ヘッド２への入口を形成しており、この掃除機ヘッドを通して、空気は、使用中に引き込まれる。
【００２４】
連節首体１２は、筐体８には接続されていない端部において出口開口部１６を備える。出口開口部１６は、掃除機ヘッド２からの出口を形成する。連節首体１２は、直接に、または、例えばワンドまたはホースを介して、真空掃除機（図示略）の分離器に接続可能である。
【００２５】
図２は、ブラシバー６の回転軸Ｘに沿う掃除機ヘッド２の断面図である。
【００２６】
筐体８は、チャンバ１０を画成する頂部分１８と第１及び第２側部分２０、２２とを備え、このチャンバ内には、ブラシバー６が位置する。側部分２０、２２それぞれには、第１及び第２端部キャップ２４、２６が各別に設けられている。第１端部キャップ２４は、第１側部分２０から取り外し可能である。
【００２７】
第２側部分２２は、第２端部キャップ２６によって被覆されている。第２側部分２２は、一部がチャンバ１０内に突出する取付部分３６を備える。駆動筐体取付体３８は、取付部分３６に固定されている。駆動筐体取付体３８は、ほぼ筒状である。駆動筐体取付体３８は、細長い駆動筐体４０を支持しており、この駆動筐体は、駆動筐体取付体３８から回転軸Ｘに沿ってチャンバ１０内にさらに延在している。ころ軸受のような軸受４２は、駆動筐体取付体３８によって支持されている。軸受４２は、駆動筐体取付体３８の外面の周りの周囲に延在する。軸受４２は、駆動筐体取付体３８に対して回転するために第２ブラシバー取付体４４を支持する。第２ブラシバー取付体４４には、第２ブラシバー取付体４４の外面にあるＯリングの形態にある密閉体４６が設けられている。
【００２８】
駆動筐体４０は、（このための筐体４８のみ示されている）ブラシバーモータと、伝動装置５０と、を収容する。伝動装置５０は、ギア配置５２及び駆動ドグ(dog)５４を備える。駆動ドグ５４は、駆動筐体４０のうち駆動筐体取付体３８とは反対側の端部から突出する。
【００２９】
スプール５６の形態にある収集器は、軸受４２と筐体８の第２側部分２２との間で、取付部分３６に取り付けられている。スプール５６は、筒状をなしており、髪の毛を収集するための外面５８と、外面５８に収集されている髪の毛がスプール５６から滑り落ちることを防止するための一端部における円周リブ６０と、を備える。特に、リブ６０は、髪が軸受４２またはブラシバーモータに絡み付くことを防止する。
【００３０】
スプール５６は、取付部分３６にスライド可能に取り付けられており、それにより、スプールは、スプール５６が第２側部分２２に当接する髪収集位置からスプール５６が第２側部分２２から離間する髪除去位置までスライドし得る。
【００３１】
スプール５６には、スロット６２（図３参照）が設けられており、このスロットは、取付部分３６に設けられたリブ６４と係合する。リブ６４は、スプール５６が収集位置にあるときにスプール５６が回転することを防止する。
【００３２】
円周リブ６６の形態にある当接機能は、駆動筐体取付体３８に設けられている。圧縮バネ６８の形態にある付勢デバイスは、リブ６６とスプール５６との間に配設されている。バネ６８の一端部は、リブ６６に当接しており、バネ６８の他端部は、スプール５６に当接している。バネ６８は、スプール５６を収集位置内へ付勢し、スプール５６を筐体８の第２側部分２２に対して強固に保持している。リブ６６は、軸受４２を駆動筐体取付体３８の所定位置で保持する第２機能を提供する。
【００３３】
ブラシバー６は、中空筒状体７０と、筒状体７０の端部それぞれに各別に配設された第１及び第２端部プラグ７２、７４と、を備える。端部プラグ７２、７４それぞれは、筒状体７０の各端部に当接するフランジ７８と、フランジ７８から筒状体７０内に突出するほぼ筒状の部分８０、８２と、を有する。周方向で間隔をあけたストリップで配設された毛８３は、中空体７０から径方向外側に延在する。
【００３４】
第２プラグ７４は、両端部で開口しており、それにより、取付部分３６、駆動筐体取付体３８、駆動筐体４０、軸受４２及び第２ブラシバー取付体４４の組立体は、ブラシバー６が支持される心棒を形成しており、開口端部を通過して筒状体７０内に入り得る。第２プラグ７４は、筒状体７０と共に回転するために固定されている。第２プラグ７４は、内部密閉面８８を有し、第２ブラシバー取付体４４に設けられた密閉体４６は、この内部密閉面に当接して密閉する。
【００３５】
使用中において、空気は、入口開口部１４を通って、ブラシバー６を過ぎ、出口開口部１６を通って出て、掃除機ヘッド２が接続されている真空掃除機の分離器まで、引き込まれる。図示の実施形態において掃除機ヘッド２の外部にある電源によって給電されるブラシバーモータは、伝動装置５０を介してブラシバー６を回転駆動させる。特に、ブラシバーモータは、駆動ドグ５４を駆動するギア配置５２を駆動する。ソケット８６によって受けられている駆動ドグ５４は、第１プラグ７２、ひいてはブラシバー６を駆動し、チャンバ１０内で回転させる。
【００３６】
回転しているブラシバー６は、清掃されている表面に位置する屑、例えばカーペットの繊維間に位置する屑を撹拌する。清掃中において、髪の毛（または木綿糸やリボンなど他の長い繊維）をブラシバー６で取り上げ得る。ほとんどの髪の毛は、出口開口部１６を通って分離器まで引き出されるが、一部は、ブラシバーの周りに巻き付いて捕捉される。さらに、髪の毛は、フランジ７８と筐体８の第１及び第２側部分２０、２２との間の間隙を通ってブラシバー６の端部を越えて入っていくことが期待される。第２プラグ７４のフランジ７８との間の間隙に進入した髪の毛は、ブラシバー６が回転することによって、スプール５６の外面５８の周りに巻き付けられる。
【００３７】
髪の毛は、スプール５６の外面５８の周りにあるベール(bale)として集まる。リブ６０は、第２側部分２２と共に、髪がスプール５６から滑ることを防止する。髪が蓄積するにしたがって、ベールの厚さは、髪が第２プラグ７４のうちフランジ７８に隣接する内面の領域を押し付けるまで、増加する。スプール５６は、スプール５６に設けられたスロット６２が取付部分３６にあるリブ６４と係合していることによって、取付部分３６に対して回転方向で固定されて保持されている。その結果、髪が押し付ける第２プラグ７４の内面の領域は、ブラシバー６に制動トルクをかける制動面を形成する。ブラシバー６にかかる制動トルクは、スプール５６によって収集された髪の量が増加するにしたがって、増加する。いったん制動トルクがブラシバーモータによってブラシバー６に伝達される駆動トルクを超えると、ブラシバー６は、行き詰る（すなわち、回転を停止する）。その後、髪をスプール５６から除去する必要がある。
【００３８】
第１端部キャップ２４は、回転軸Ｘに沿ってブラシバー６と共に筐体８の端部から取り外され、これにより、取付部分３６、駆動筐体取付体３８、駆動筐体４０、軸受４２及び第２ブラシバー取付体４４を露出させる。
【００３９】
図３は、ブラシバー６を取り外してスプール５６が収集位置にある第１構成にある掃除機ヘッド２を示す。
【００４０】
図４は、図３に対応しているが、スプール５６が除去位置（すなわち、上述のように、髪をスプールから除去し得る位置）にある第２構成にある掃除機ヘッド２を示している。スプール５６は、スプール５６を取付部分３６に沿ってスライドさせることによって、図４に示す除去位置へ押し付けられる。バネ６８の剛性は、使用者によって、例えば使用者の指によってスプール５６を除去位置へ手で移動させ得るようになっている。除去位置において、バネ６８は、駆動筐体取付体３８にある円周リブ６６に当接してスプール５６によって圧縮される。
【００４１】
スプール５６が除去位置にあると、使用者にとってすぐにアクセス可能である。また、一対の鋏またはナイフのような切断素子は、一方のスロット６２内に挿入され得、スプール５６から髪の毛を切断する。これにより、髪をスプール５６から迅速に切除することが可能となる。あるいは、ベール状の髪は、ベール状の髪をスプール５６からリブ６４上へスライドさせることによって、スプール５６の外面５８からスライドさせ得る。その後、髪は、リブ６４間に切断器具を挿入することによって、切断され得る。理解されることは、除去位置においてスプール５６と第２側部分２２との間の空間を増加させてそれによりリブ６４上へスライドされている髪を容易に切除し得るために、掃除機ヘッド２がスプール５６の移動範囲を増加させるように改変され得ること、である。
【００４２】
いったん髪を除去すると、スプール５６を解放する。バネ６８は、スプール５６を収集位置へ戻るように付勢する。その後、掃除機ヘッド２は、駆動筐体４０を越えてブラシバー６をチャンバ１０内に挿入して第１端部キャップ２４を元に戻すことによって、再び組み立てられ得る。
【符号の説明】
【００４３】
２  掃除機ヘッド、４  主本体、６  撹拌器，ブラシバー、１０  チャンバ、１４  入口開口部，開口部（空気入口）、１６  出口開口部，開口部（空気出口）、３６  取付部分（心棒）、３８  駆動筐体取付体（心棒）、４０  駆動筐体（心棒）、４２  軸受（心棒）、４４  第２ブラシバー取付体（心棒）、５６  収集器，スプール、６２  スロット（第１係合機能）、６４  リブ（第２係合機能）、６８  圧縮バネ，バネ（付勢デバイス）
【図１】
2017507757.tif 000003
【図２】
2017507757.tif 000004
【図３】
2017507757.tif 000005
【図４】
2017507757.tif 000006
【国際調査報告】
2017507757.tif 000007
2017507757.tif 000008